(57)【特許請求の範囲】
【請求項１】
投入口に投入された紙葉類を一枚ずつ、取込ギャップを通して機内へ取り込む取込手段と、
該取込手段で機内へ取り込まれた紙葉類を識別する識別手段と、
該識別手段の識別結果に基づいて紙葉類を機内で一時貯留する一時貯留手段と、
前記識別手段の識別結果に基づいて紙葉類を機外へ繰り出す繰出手段と、
前記一時貯留手段に一時貯留された紙葉類を機内で収納する収納手段と、
前記一時貯留手段に一時貯留された紙葉類を機外へ返却する返却手段とを備え、
さらに、現金モードおよび現金外モードのうちのいずれか一の媒体種別モードが選択して設定されるモード設定手段と、
該モード設定手段で設定された媒体種別モードに対応して、前記取込ギャップを調整するギャップ調整手段と、
前記モード設定手段で設定された媒体種別モードに対応して、前記識別手段で受付可と識別する紙葉類を現金紙幣のみまたは現金外紙葉類のみに設定する受付設定手段と、
前記識別手段で受付可と識別された紙葉類の額面を入金金額データへ計上する計上手段と、
を備えており、
前記識別手段と、該識別手段にて受付可と識別された現金外紙葉類を貯留する前記一時貯留手段または前記繰出手段との間の経路に設けられて、前記識別手段にて受付可と識別された現金外紙葉類に対して受付済みの記録を施す記録手段を備え、
前記識別手段は、光学式文字読取手段を備え、該光学式文字読取手段によって、前記記録手段による受付済みの記録を認識可能であり、該受付済みの記録が施された現金外紙葉類を受付不可と識別することを特徴とする紙葉類入金機。
【請求項２】
前記現金外モードでは、
前記識別手段が、一の種別の現金外紙葉類を受付可と識別して枚数を計数し、
前記計上手段は、前記一の種別の現金外紙葉類の額面を、前記一の種別の現金外紙葉類の一枚当たりの単位額面データと前記識別手段の計数結果との乗算によって求めて計上することを特徴とする請求項１記載の紙葉類入金機。
【請求項３】
前記現金外モードにおいて、前記識別手段で受付可と識別された現金外紙葉類のみを前記一時貯留手段および前記繰出手段のうちのいずれか一方へ搬送するとともに、現金を含むその他の紙葉類全てを前記一時貯留手段および前記繰出手段のうちのいずれか他方へ搬送する搬送制御手段を備えたことを特徴とする請求項１または２記載の紙葉類入金機。
【請求項４】
前記モード設定手段で設定された媒体種別モードに応じて、前記取込手段の取込速度を切り換える取込速度切換手段を備えたことを特徴とする請求項１乃至３のいずれか一項記載の紙葉類入金機。
【請求項５】
前記モード設定手段で設定された媒体種別モードに応じて、機内へ取り込んだ紙葉類を搬送路にて搬送する搬送速度を切り換える搬送速度切換手段を備えたことを特徴とする請求項１乃至４のいずれか一項記載の紙葉類入金機。
【発明の詳細な説明】
【技術分野】
【０００１】
本発明は、紙葉類として、現金紙幣と、現金以外の金券等の現金外紙葉類とを入金可能な紙葉類入金機に関する。
【背景技術】
【０００２】
入金システムにおいて、入金処理作業を容易化することができるように、端末機において入金計データが確定されると、当該入金計データと当該端末機の店舗識別情報とを関連付けて記憶手段に記憶するとともに、入金取引に際して、入金機において店舗識別情報を受け付けると、当該店舗識別情報に関連付けられている入金計データを記憶手段から読み出して当該入金取引における当該入金機による現金計数結果と比較する技術が開示されている（例えば、特許文献１参照）。
【先行技術文献】
【特許文献】
【０００３】
【特許文献１】特開２０１０−２１８２９３号公報
【発明の概要】
【発明が解決しようとする課題】
【０００４】
しかしながら、上述した技術においても、現金に関しては入金機において入金計数ができるものの、現金外たとえば商品券等の金券に関しては、手入力処理によって売上計上等の精算処理がなされることになり、当該金券の金額を自動計数入力することができず、担当者の操作が煩わしいままという課題が存在する。
【０００５】
本発明は、現金紙幣と現金外紙葉類とを入金可能な紙葉類入金機の提供を目的とする。
【課題を解決するための手段】
【０００６】
上記目的を達成するために、請求項１に係る発明は、投入口に投入された紙葉類を一枚ずつ、取込ギャップを通して機内へ取り込む取込手段と、該取込手段で機内へ取り込まれた紙葉類を識別する識別手段と、該識別手段の識別結果に基づいて紙葉類を機内で一時貯留する一時貯留手段と、前記識別手段の識別結果に基づいて紙葉類を機外へ繰り出す繰出手段と、前記一時貯留手段に一時貯留された紙葉類を機内で収納する収納手段と、前記一時貯留手段に一時貯留された紙葉類を機外へ返却する返却手段とを備え、さらに、現金モードおよび現金外モードのうちのいずれか一の媒体種別モードが選択して設定されるモード設定手段と、該モード設定手段で設定された媒体種別モードに対応して、前記取込ギャップを調整するギャップ調整手段と、前記モード設定手段で設定された媒体種別モードに対応して、前記識別手段で受付可と識別する紙葉類を現金紙幣のみまたは現金外紙葉類のみに設定する受付設定手段と、前記識別手段で受付可と識別された紙葉類の額面を入金金額データへ計上する計上手段と、を備えており、前記識別手段と、該識別手段にて受付可と識別された現金外紙葉類を貯留する前記一時貯留手段または前記繰出手段との間の経路に設けられて、前記識別手段にて受付可と識別された現金外紙葉類に対して受付済みの記録を施す記録手段を備え、前記識別手段は、光学式文字読取手段を備え、該光学式文字読取手段によって、前記記録手段による受付済みの記録を認識可能であり、該受付済みの記録が施された現金外紙葉類を受付不可と識別することを特徴とする。
【０００７】
請求項２に係る発明は、請求項１に係る発明において、前記現金外モードでは、前記識別手段が、一の種別の現金外紙葉類を受付可と識別して枚数を計数し、前記計上手段は、前記一の種別の現金外紙葉類の額面を、前記一の種別の現金外紙葉類の一枚当たりの単位額面データと前記識別手段の計数結果との乗算によって求めて計上することを特徴とする。
【０００８】
請求項３に係る発明は、請求項１または２に係る発明において、前記現金外モードにおいて、前記識別手段で受付可と識別された現金外紙葉類のみを前記一時貯留手段および前記繰出手段のうちのいずれか一方へ搬送するとともに、現金を含むその他の紙葉類全てを前記一時貯留手段および前記繰出手段のうちのいずれか他方へ搬送する搬送制御手段を備えたことを特徴とする。
【０００９】
請求項４に係る発明は、請求項１乃至３のいずれか一項に係る発明において、前記モード設定手段で設定された媒体種別モードに応じて、前記取込手段の取込速度を切り換える取込速度切換手段を備えたことを特徴とする。
【００１０】
請求項５に係る発明は、請求項１乃至４のいずれか一項に係る発明において、前記モード設定手段で設定された媒体種別モードに応じて、機内へ取り込んだ紙葉類を搬送路にて搬送する搬送速度を切り換える搬送速度切換手段を備えたことを特徴とする。
【発明の効果】
【００１３】
請求項１に係る発明によれば、モード設定手段で媒体種別モードとして現金モードが選択して設定されると、投入口に投入された紙葉類が、取込手段で一枚ずつ機内に取り込まれ、識別手段で識別されて、現金紙幣のみが受付可と識別される。そして、計上手段が、識別手段で受付可と識別された現金紙幣の額面を入金金額データへ計上する。他方、モード設定手段で媒体種別モードとして現金外モードが選択して設定されると、投入口に投入された紙葉類が、取込手段で一枚ずつ機内に取り込まれ、識別手段で識別されて、現金外紙葉類のみが受付可と識別される。そして、計上手段が、識別手段で受付可と識別された現金外紙葉類の額面を入金金額データへ計上する。よって、取扱い対象の紙葉類として現金紙幣だけでなく現金外紙葉類をも入金して、売上計上等に自動計数入力することができる。したがって、現金外紙葉類について手操作で入金金額データを入力する必要がなくなり、自動計数入力ができるようになるため、担当者の作業を大幅に軽減できる。また、入金計数対象となる媒体種別を選択設定すると、ギャップ調整手段が取込手段の取込ギャップをその媒体種別の厚みに対応したギャップに調整するため、紙幣とは厚みに違いがある現金外紙葉類であっても適切に取込ギャップが調整されて、円滑に機内へ取り込むことが可能となる。
識別手段にて受付可と識別された現金外紙葉類に対しては、記録手段が受付済みの記録を施すことになるため、「受付済み」の現金外紙葉類が「受付済み」か否かが容易に目視で区別できるようになる。
識別手段が、記録手段による受付済みの記録が施された現金外紙葉類を受付不可と識別するため、オペミスや不正運用を防止できるようになる。
【００１４】
請求項２に係る発明によれば、現金外モードでは、識別手段が、一の種別の現金外紙葉類を受付可と識別してその枚数を計数すると、計上手段が、この計数結果と、一の種別の現金外紙葉類の一枚当たりの単位額面データとの乗算によって一の種別の現金外紙葉類の額面を求めて計上する。したがって、廉価な構成で現金外紙葉類の額面を計上可能となる。
【００１５】
請求項３に係る発明によれば、現金外モードにおいて、搬送制御手段が、識別手段で受付可と識別された現金外紙葉類のみを一時貯留手段および繰出手段のうちのいずれか一方へ搬送するとともに、現金を含むその他の紙葉類全てを一時貯留手段および繰出手段のうちのいずれか他方へ搬送する。よって、使用する店舗での運用仕様に応じた紙葉類の搬送先設定が可能となる。すなわち、受け付けた現金外紙葉類を収納手段に収納したい場合には一時貯留手段へ搬送し、収納手段に収納したくない場合には繰出手段へ搬送するといった選択設定が可能となる。
【００１６】
請求項４に係る発明によれば、モード設定手段で設定された媒体種別モードに応じて、取込速度切換手段が、取込手段の取込速度を切り換えるため、媒体種別ごとに取込速度も可変となり、より媒体種別に適した状態で、紙葉類を一枚ずつ分離して円滑に機内へ取り込むことが可能となる。  
【００１７】
請求項５に係る発明によれば、モード設定手段で設定された媒体種別モードに応じて、搬送速度切換手段が、機内へ取り込んだ紙葉類を搬送路にて搬送する搬送速度を切り換えるため、媒体種別ごとに機内での搬送速度も可変となり、より媒体種別に適した状態で、紙葉類を搬送することが可能となる。  
【図面の簡単な説明】
【００２０】
【図１】本発明の一実施形態に係る紙葉類入金機を示す斜視図である。
【図２】本発明の一実施形態に係る紙葉類入金機を示す側断面図である。
【図３】本発明の一実施形態に係る紙葉類入金機を示す制御系のブロック図である。
【図４】本発明の一実施形態に係る紙葉類入金機を示す要部の側面図である。
【図５】本発明の一実施形態に係る紙葉類入金機の表示操作部の待機画面を示す図である。
【図６】本発明の一実施形態に係る紙葉類入金機の表示操作部の現金モードでの表示画面を示す図である。
【図７】本発明の一実施形態に係る紙葉類入金機の表示操作部の現金外モードでの表示画面を示す図である。
【発明を実施するための形態】
【００２１】
本発明の一実施形態に係る紙葉類入金機を図面を参照して以下に説明する。
本実施形態に係る紙葉類入金機は、紙葉類として、現金紙幣と、現金以外であって現金に準じて交換媒体として使用される商品券・金券等の現金外紙葉類（以下、単に現金外紙葉類と言う）とを両方入金可能なものである。
【００２２】
図１に示すように、紙葉類入金機１１は、入金機本体１２と、入金機本体１２の前面側上部に引き出し可能に設けられる上段ユニット（返却手段）１３と、入金機本体１２の前面側下部に引き出し可能に設けられる下段ユニット１４とで全体が構成されている。
【００２３】
上段ユニット１３の前部の上面には、ユーザによって入力が行われるとともにユーザに対して操作ガイダンス等の表示を行うタッチパネル式の表示操作部（モード設定手段）１８と、紙葉類が集積状態で投入される投入口１９とが設けられている。投入口１９には、紙葉類が上下方向に集積された状態で装填されることになり、その際に装填された紙葉類を上側から押すビルプレス２０と、紙葉類の装填の有無を検知する図２に示すセット検知センサ２１とが設けられている。また、図１に示すように、上段ユニット１３の前面には、電源スイッチ２３と、機内から繰り出された紙葉類を機外に取り出し可能に集積させる第１繰出部（繰出手段）２４および第２繰出部（繰出手段）２５と、上段ユニット１３を入金機本体１２から引き出す際に操作される引出用取っ手２６とが設けられている。
【００２４】
下段ユニット１４の前面には、下段ユニット１４を入金機本体１２から引き出す際に操作される引出用取っ手２７と、下段ユニット１４を入金機本体１２に対して閉状態でロックおよびロック解除するための専用の鍵２８とが設けられている。
【００２５】
紙葉類入金機１１の内部には、図２に示すように、紙葉類入金機１１の全体を制御する制御部（受付設定手段，計上手段，搬送制御手段，取込速度切換手段，搬送速度切換手段）３３と、各種データを記憶する記憶部３４とが設けられている。
【００２６】
投入口１９には、投入口１９に投入された集積状態の紙葉類Ｓを最下のものから一枚ずつ分離して機内へ取り込む取込機構（取込手段）３６と、取込機構３６で一枚ずつ分離して機内へ取り込まれた紙葉類Ｓを搬送する搬送路３７とが設けられている。この搬送路３７は、投入口１９の位置から機体の後方に向け延出する前段搬送部３８と、前段搬送部３８の端末から下側に半円状に湾曲することで搬送方向を１８０度反転させる中間搬送部３９と、中間搬送部３９の端末から機体の前方に向け延出する後段搬送部４０とを有している。
【００２７】
なお、取込機構３６は、図３に示す取込駆動モータ３６Ａで駆動されることになり、搬送路３７も図３に示す搬送駆動モータ３７Ａで駆動されることになる。これら取込駆動モータ３６Ａおよび搬送駆動モータ３７Ａは、いずれも回転速度を変更制御可能であり、よって、機内への取込機構３６による紙葉類Ｓの取込速度と、機内へ取り込んだ紙葉類Ｓを搬送路３７での搬送速度とは、制御部３３の制御によって切り換え可能となっている。
【００２８】
搬送路３７の前段搬送部３８には、取込機構３６で機内へ取り込まれ前段搬送部３８で搬送中の紙葉類Ｓを識別する識別部（識別手段）４３が設けられている。この識別部４３は、例えばＣＣＤカメラ等の画像検出装置４４を備えており、前段搬送部３８で搬送中の紙葉類Ｓの券面画像データを撮像する。そして、識別部４３は、この券面画像データを画像処理して基準データと比較することで、紙葉類Ｓが受付可であるか受付不可であるかを識別する。また、識別部４３は、紙葉類Ｓの券面画像データから光学式に文字を読み取る光学式文字読取処理（ＯＣＲ処理）を行う図３に示す光学式文字読取部（光学式文字読取手段）４３Ａを有している。
【００２９】
図２に示すように、搬送路３７の後段搬送部４０は、上流側に、二方向に分岐する分岐搬送路４６，４７を有しており、一方の分岐搬送路４６は略水平に機体前方に延出し、他方の分岐搬送路４７は前下がりの姿勢で機体前方に延出する。また、後段搬送部４０は、下流側に、分岐搬送路４６をさらに二方向に分岐する分岐搬送路４８，４９を有しており、一方の分岐搬送路４８は略水平に機体前方に延出し、他方の分岐搬送路４９は前下がりの姿勢で機体前方に延出する。そして、分岐搬送路４８は上記した第１繰出部２４につながり、分岐搬送路４９は上記した第２繰出部２５につながっている。
【００３０】
搬送路３７の後段搬送部４０には、中間搬送部３９から搬送されてきた紙葉類Ｓを分岐搬送路４６，４７に選択的に振り分ける上流側振分部５１と、分岐搬送路４６から搬送されてきた紙葉類Ｓを分岐搬送路４８，４９に選択的に振り分ける下流側振分部５２とが設けられている。これら上流側振分部５１および下流側振分部５２は、識別部４３より下流側に設けられて識別部４３の読み取り後の紙葉類Ｓを振り分ける。上流側振分部５１は、図３に示す振分ソレノイド５１Ａで駆動され、下流側振分部５２は、図３に示す振分ソレノイド５２Ａで駆動される。
【００３１】
図２に示すように、上流側で分岐する分岐搬送路４７の端末位置には、紙葉類Ｓを上下方向に集積させて機内で一時貯留する、底部が開閉可能な一時貯留部（一時貯留手段，返却手段）５５が設けられている。この一時貯留部５５は、識別部４３の識別結果に基づいて、紙葉類Ｓのうち機内に収納する紙葉類Ｓを受け入れて一時貯留する。
【００３２】
一時貯留部５５は、上下に開口する四角枠状の枠体５６と、相互に近接・離間するように水平移動することで枠体５６の下部開口部を開閉する一対のシャッタ５７，５７と、枠体５６内を上下に貫通するように昇降するプッシャ５８とを有している。この一時貯留部５５は、プッシャ５８が枠体５６の上方に位置する状態で、分岐搬送路４７から一枚ずつ繰り出される紙葉類Ｓを閉状態のシャッタ５７，５７上に下から上に順に集積させる。一時貯留部５５は、投入口１９、搬送路３７、識別部４３、上流側振分部５１、下流側振分部５２、第１繰出部２４および第２繰出部２５とともに上段ユニット１３に設けられており、上段ユニット１３が入金機本体１２から引き出されると、集積させていた紙葉類Ｓが機外に取り出し可能つまり返却可能になる。シャッタ５７，５７は、図３に示すシャッタモータ５７Ａで駆動され、プッシャ５８は、図３に示すプッシャモータ５８Ａで駆動される。
【００３３】
図２に示すように、一時貯留部５５の下方には、一時貯留部５５に一時貯留された紙葉類Ｓを機内で収納する収納部（収納手段）６０が設けられている。この収納部６０は、上部開口部を有する有底筒状の箱体６１と、箱体６１内で上下に昇降するとともに上側に図示略のスプリングで付勢される底板６２と、箱体６２の上部開口部の対辺位置に揺動可能に設けられた一対の係止板６３，６３とを有している。一対の係止板６３，６３はともに水平位置にある閉状態からともに下方向に揺動して開状態となるもので、閉状態を維持するように図示略のスプリングで付勢されている。
【００３４】
この収納部６０は、上下に集積された紙葉類Ｓを、閉状態の一対の係止板６３，６３と上方に付勢された底板６２とで挟持する。一時貯留部５５の紙葉類Ｓを収納する際には、一時貯留部５５のシャッタ５７，５７が開作動されることによって一時貯留部５５から落下した紙葉類Ｓを閉状態の一対係止板６３，６３およびすでに収納している紙葉類Ｓで受け取る。そして、一時貯留部５５のプッシャ５８が下降することで、プッシャ５８が係止板６３，６３上の紙葉類Ｓ、すでに収納部６０に収納されている紙葉類Ｓおよび底板６２を下方に押圧し、これらを下降させる。すると、係止板６３，６３上の紙葉類Ｓは、一対の係止板６３，６３を開作動させながら下降することになり、係止板６３，６３上にあった紙葉類Ｓが一対の係止板６３，６３を通過すると、一対の係止板６３，６３は図示略のスプリングの付勢力で閉状態に戻る。その後、プッシャ５８が上昇すると、底板６２が図示略のスプリングの付勢力で上昇し、紙葉類Ｓを一対の係止板６３，６３との間に保持する。プッシャ５８は、最終的に枠体５６の上方の待機位置に戻る。
【００３５】
この収納部６０は、下段ユニット１４に着脱可能に設けられており、鍵２８によってロックが解除されて下段ユニット１４が入金機本体１２から引き出された状態で、下段ユニット１４から取り外される。
【００３６】
第１繰出部２４は、分岐搬送路４８から一枚ずつ繰り出される紙葉類Ｓを下から上に順に集積させるもので、機外に開口することで、集積させていた紙葉類Ｓがそのまま機外に取り出し可能となっている。この第１繰出部２４は、識別部４３の識別結果に基づいて紙葉類Ｓを機外へ取り出し可能に繰り出すもので、識別部４３の識別結果から、例えば受付不可と識別された紙葉類Ｓを繰り出して集積させる。
【００３７】
第２繰出部２５は、分岐搬送路４９から一枚ずつ繰り出される紙葉類Ｓを下から上に順に集積させるもので、機外に開口することで、集積させていた紙葉類Ｓがそのまま機外に取り出し可能となっている。この第２繰出部２５も、識別部４３の識別結果に基づいて紙葉類Ｓを機外へ取り出し可能に繰り出すもので、識別部４３の識別結果から、例えば受付不可と識別された紙葉類Ｓを繰り出して集積させる。
【００３８】
中間搬送部３９の上流側振分部５１の直前位置には、識別部４３の識別結果に基づいて受付可と識別された紙葉類Ｓ（現金外紙葉類）に対して、消し込み処理として受付済みの記録を施すエンドーサ（記録手段）６５が設けられている。エンドーサ６５は、図３に示すエンドーサソレノイド６５Ａで進退し、前進時に例えば「受付済み」のスタンプ押印を行う図示略のインクローラを備えている。
【００３９】
図２に示すように、取込機構３６は、投入口１９に載置された紙葉類Ｓの最下のものに接触してこれを蹴り出す蹴出ローラ７０と、蹴出ローラ７０で蹴り出された紙葉類Ｓを一枚ずつに分離して機内に取り込む上下のセパレートローラ７１および取込ローラ７２とを有している。そして、取込ローラ７２は、上記した取込駆動モータ３６Ａで駆動されて蹴出ローラ７０とともに紙葉類Ｓの取り込み方向に回転する。これに対し、セパレートローラ７１は図示略のワンウエイクラッチで取込ローラ７２との取り込み方向の連れ回りが規制されている。これにより、セパレートローラ７１で上側の紙葉類Ｓを停止させながら、取込ローラ７２が図４に示す高摩擦部７２Ａで接触する紙葉類Ｓを一枚ずつ、セパレートローラ７１との隙間である取込ギャップＧを通して機内に取り込むことになる。
【００４０】
そして、本実施形態においては、上記したセパレートローラ７１と取込ローラ７２との間の取込ギャップＧを調整するギャップ調整機構（ギャップ調整手段）７５が設けられている。このギャップ調整機構７５は、ステッピングモータ７６と、ステッピングモータ７６の回転で上下に移動するプランジャ７７と、プランジャ７７に連結されるとともにセパレートローラ７１を図示略のワンウエイクラッチを介して軸支する支持部材７８とを有している。このギャップ調整機構７５は、ステッピングモータ７６の回転によりプランジャ７７、支持部材７８およびセパレートローラ７１を昇降させて取込ギャップＧを所望値に調整する。
【００４１】
次に、制御部３３の制御内容を、紙葉類入金機１１の作動とともに説明する。
【００４２】
紙葉類入金機１１が待機状態にあるとき、制御部３３は、表示操作部１８に、図５に示すように、媒体種別モードのうち現金紙幣を処理する現金モードの選択時に押圧操作される「現金」と表示された現金モード選択入力部１８ａと、媒体種別モードのうち現金外紙葉類である金券種Ａを処理する現金外モードの選択時に押圧操作される「金券Ａ」と表示された現金外モード選択入力部１８ｂと、媒体種別モードのうち現金外紙葉類である金券種Ｂを処理する現金外モードの選択時に押圧操作される「金券Ｂ」と表示された現金外モード選択入力部１８ｃと、媒体種別モードのうち現金外紙葉類である金券種Ｃを処理する現金外モードの選択時に押圧操作される「金券Ｃ」と表示された現金外モード選択入力部１８ｄとを、表示操作部１８に設けている。また、紙葉類入金機１１が待機状態にあるとき、制御部３３は、操作開始の指示時に押圧操作される「スタート」と表示された開始操作入力部１８ｅを表示操作部１８に設けている。なお、同じ金券種の現金外紙葉類とは、一枚当たりの額面（単位額面）も同額のもののことで、発行元等が同じであっても一枚当たりの額面が異なれば異なる金券種となる。
【００４３】
そして、現金紙幣および現金外紙葉類のいずれを処理する場合にも、オペレータは、処理対象の紙葉類Ｓを集積状態で、投入口１９に投入し、上側からピルプレス２０で押圧される状態とする。
【００４４】
次に、オペレータは、初期操作として、表示操作部１８に対し、現金モード、金券種Ａの現金外モード、金券種Ｂの現金外モードおよび金券種Ｃの現金外モードのうちのいずれか一の媒体種別モードを選択して設定する。つまり、現金モード選択入力部１８ａおよび現金外モード選択入力部１８ｂ〜１８ｄのうちのいずれか一つを押圧操作した後に、開始操作入力部１８ｅを押圧操作する。または、現金モード選択入力部１８ａおよび現金外モード選択入力部１８ｂ〜１８ｄのいずれも押圧操作せずに開始操作入力部１８ｅを押圧操作する。制御部３３は、投入口１９に紙葉類Ｓが装填されていることをセット検知センサ２１で検知している場合に限り、上記初期操作を受け付けることになる。
【００４５】
そして、制御部３３は、受け付けた初期操作で、現金モード選択入力部１８ａが押圧操作された場合と、現金モード選択入力部１８ａおよび現金外モード選択入力部１８ｂ〜１８ｄのいずれも押圧操作されずに開始操作入力部１８ｅが押圧操作された場合とについては、現金モードが選択して設定されたものとして現金モードを実行する。この現金モードでは、制御部３３は、識別部４３で受付可と識別する紙葉類Ｓを現金紙幣のみに設定する。
【００４６】
また、制御部３３は、受け付けた初期操作で、現金外モード選択入力部１８ｂが押圧操作された場合は、現金外モードのうちの金券種Ａの現金外モードを、現金外モード選択入力部１８ｃが押圧操作された場合は、現金外モードのうちの金券種Ｂの現金外モードを、現金外モード選択入力部１８ｄが押圧操作された場合は、現金外モードのうちの金券種Ｃの現金外モードを、それぞれ実行する。制御部３３は、金券種Ａの現金外モードでは、識別部４３で受付可と識別する紙葉類Ｓを金券種Ａの現金外紙葉類のみに設定することになり、金券種Ｂの現金外モードでは、識別部４３で受付可と識別する紙葉類Ｓを金券種Ｂの現金外紙葉類のみに設定することになり、金券種Ｃの現金外モードでは、識別部４３で受付可と識別する紙葉類Ｓを金券種Ｃの現金外紙葉類のみに設定することになる。
【００４７】
制御部３３は、初期操作で設定された媒体種別モードに応じて、基準データおよび設定データを記憶部３４から読み出す。ここで、基準データは、識別対象の紙葉類Ｓが受付可であるか受付不可であるかを判別するための券面画像データの基準データである。また、設定データは、識別対象の紙葉類Ｓの厚さ、材質および表面性状等に応じた取込機構３６の取込ギャップＧの設定データと、識別対象の紙葉類Ｓの大きさ等に応じた取込機構３６の取込速度の設定データと、識別対象の紙葉類Ｓの厚さ、材質および表面性状等に応じた搬送路３７の搬送速度の設定データとからなっている。
【００４８】
現金モードに対応して記憶部３４に記憶された券面画像データの基準データは、取り扱う全金種の現金紙幣の券面画像データの基準データであり、金券種Ａの現金外モードに対応して記憶部３４に記憶された券面画像データの基準データは、金券種Ａの現金外紙葉類の券面画像データの基準データであり、金券種Ｂの現金外モードに対応して記憶部３４に記憶された券面画像データの基準データは、金券種Ｂの現金外紙葉類の券面画像データの基準データであり、金券種Ｃの現金外モードに対応して記憶部３４に記憶された券面画像データの基準データは、金券種Ｃの現金外紙葉類の券面画像データの基準データである。
【００４９】
現金モードに対応して記憶部３４に記憶された取込ギャップＧの設定データは、取り扱う全金種の現金紙幣の厚さ、材質および表面性状が略一様であることから、これに合わせて設定されたものとなっている。金券種Ａの現金外モードに対応して記憶部３４に記憶された取込ギャップＧの設定データは、金券種Ａの現金外紙葉類の厚さ、材質および表面性状に、金券種Ｂの現金外モードに対応して記憶部３４に記憶された取込ギャップＧの設定データは、金券種Ｂの現金外紙葉類の厚さ、材質および表面性状に、金券種Ｃの現金外モードに対応して記憶部３４に記憶された取込ギャップＧの設定データは、金券種Ｃの現金外紙葉類の厚さ、材質および表面性状に、それぞれ合わせて設定されたものとなっている。具体的に、取込ギャップＧは、紙葉類Ｓの厚さが薄いほど狭くなり、材質として例えば腰が弱いほど狭くなり、表面性状として例えば表面が滑らかでスキューし易いものほど狭くなるように設定される。
【００５０】
現金モードに対応して記憶部３４に記憶された取込速度の設定データは、取り扱う全金種の現金紙幣の大きさに合わせて設定されたものとなっている。金券種Ａの現金外モードに対応して記憶部３４に記憶された取込速度の設定データは、金券種Ａの現金外紙葉類の大きさに、金券種Ｂの現金外モードに対応して記憶部３４に記憶された取込速度の設定データは、金券種Ｂの現金外紙葉類の大きさに、金券種Ｃの現金外モードに対応して記憶部３４に記憶された取込速度の設定データは、金券種Ｃの現金外紙葉類の大きさに、それぞれ合わせて設定されたものとなっている。具体的に、取込速度が速ければ速いほど、搬送中の紙葉類Ｓ間の距離は短くなり、また、紙葉類Ｓの外形寸法における取込方向とは直交する取込直交方向の長さが長いほどスキューすることによって前後を搬送中の紙葉類Ｓとのニアフィードの危険性が高くなることから、この取込直交方向の長さが短いほど取込速度が速くなるように設定される。
【００５１】
現金モードに対応して記憶部３４に記憶された搬送速度の設定データは、取り扱う全金種の現金紙幣の厚さ、材質および表面性状が略一様であるため、これに合わせて設定されたものとなっている。金券種Ａの現金外モードに対応して記憶部３４に記憶された搬送速度の設定データは、金券種Ａの現金外紙葉類の厚さ、材質および表面性状に、金券種Ｂの搬送速度に対応して記憶部３４に記憶された取込ギャップの設定データは、金券種Ｂの現金外紙葉類の厚さ、材質および表面性状に、金券種Ｃの現金外モードに対応して記憶部３４に記憶された搬送速度の設定データは、金券種Ｃの現金外紙葉類の厚さ、材質および表面性状に、それぞれ合わせて設定されたものとなっている。具体的に、搬送速度は、紙葉類Ｓの厚さが薄いほど低速となり、材質として例えば腰が弱いほど低速となり、表面性状として例えば表面が滑らかでスキューし易いものほど低速となるように設定される。
【００５２】
ここで、取込速度および搬送速度は、取込駆動モータ３６Ａおよび搬送駆動モータ３７Ａのそれぞれの駆動制御によって可変となる。その具体例としては、取込駆動モータ３６Ａあるいは搬送駆動モータ３７Ａとして通常のＤＣモータを使用して電流制御によって電流値（ＡＤパラメータ）を大きく流すと高速に、逆に電流を小さく流すと低速とすることになる。また、別の例として、取込駆動モータ３６Ａあるいは搬送駆動モータ３７Ａとしてパルスモータを使用してパルス制御によってパルス幅を大きくすることによって高速に、パルス幅（ＡＤパラメータ）を小さくすることによって低速とすることになる。
【００５３】
そして、制御部３３は、記憶部３４から読み出された、初期操作で設定された媒体種別モードに対応する取込ギャップＧの設定データとなるように、ギャップ調整機構７５のステッピングモータ７６を必要により駆動しセパレートローラ７１を昇降させて取込ギャップＧを調整する。このように、制御部３３は、表示操作部１８で設定された媒体種別モードに応じて取込ギャップＧを調整する。
【００５４】
このようにして取込ギャップＧが設定データになると、制御部３３は、記憶部３４から読み出された、初期操作で設定された媒体種別モードに対応する取込速度の設定データおよび搬送速度の設定データで取込駆動モータ３６Ａおよび搬送駆動モータ３７Ａを駆動する。このように、制御部３３は、表示操作部１８で設定された媒体種別モードに応じて、取込機構３６で紙葉類Ｓを機内へ取り込む際の取込速度、および機内へ取り込んだ紙葉類Ｓを搬送路３７にて搬送する搬送速度を切り換える。
【００５５】
これにより、投入口１９の紙葉類Ｓが取込機構３６の蹴出ローラ７０で蹴り出され、セパレートローラ７１および取込ローラ７２で一枚ずつに分離され所定の間隔をあけて設定された取込速度で取込ギャップＧを通って機内に取り込まれる。機内に取り込まれた紙葉類Ｓは設定された搬送速度で搬送路３７により搬送される。そして、搬送路３７の前段搬送部３８を搬送中に、紙葉類Ｓは、識別部４３で券面画像データが読み取られる。識別部４３は読み取った券面画像データと、記憶部３４から読み出された券面画像データの基準データとを比較して、一致度から、読み取った券面画像データを有する紙葉類Ｓの受付可・受付不可を判定する。
【００５６】
つまり、初期操作で選択された媒体種別モードが現金モードである場合に、識別部４３は、読み取った券面画像データが、取り扱う全金種の現金紙幣のうちのいずれかの基準データと所定の一致度で一致した場合には、この券面画像データの紙葉類Ｓを受付可と判定し、現金外紙葉類を含むそれ以外の紙葉類Ｓは受付不可と判定する。そして、識別部４３は、受付可と判定した現金紙幣については、金種別に枚数を計数することになる。
【００５７】
また、初期操作で選択された媒体種別モードが、金券種Ａの現金外モードである場合に、識別部４３は、読み取った券面画像データが、金券種Ａの現金外紙葉類の基準データと所定の一致度で一致した場合には、この券面画像データの紙葉類Ｓを受付可と判定し、現金紙幣および他種の現金外紙葉類を含むそれ以外の紙葉類Ｓは受付不可と判定する。そして、識別部４３は、受付可と判定した金券種Ａの現金外紙葉類については、枚数を計数することになる。
【００５８】
同様に、初期操作で選択された媒体種別モードが、金券種Ｂの現金外モードである場合に、識別部４３は、読み取った券面画像データが、金券種Ｂの現金外紙葉類の基準データと所定の一致度で一致すると、この券面画像データの紙葉類Ｓを受付可と判定して、枚数を計数することになり、初期操作で選択された媒体種別モードが、金券種Ｃの現金外モードである場合に、識別部４３は、読み取った券面画像データが、金券種Ｃの現金外紙葉類の基準データと所定の一致度で一致すると、この券面画像データの紙葉類Ｓを受付可と判定して、枚数を計数することになる。
【００５９】
初期操作で選択された媒体種別モードが、現金モードである場合には、識別部４３が読み取った紙葉類Ｓが、受付可な現金紙幣である場合、この現金紙幣については、上記したように金種を区別しつつ計数を行い、エンドーサ６５で受付済みの記録を施すことなく、上流側振分部５１で分岐搬送路４７に搬送して、一時貯留部５５に一時貯留させることになる。他方、識別部４３が読み取った紙葉類Ｓが、現金紙幣以外の受付不可な紙葉類Ｓである場合、この受付不可な紙葉類Ｓについては、計数せず、またエンドーサ６５での受付済みの記録を施すことなく、上流側振分部５１で分岐搬送路４６に搬送し、さらに下流側振分部５２で分岐搬送路４８に搬送して、第１繰出部２４に繰り出すことになる。
【００６０】
上記を繰り返すことで、投入口１９内に紙葉類Ｓがなくなったことがセット検知センサ２１で検知されると、所定時間経過後に、制御部３３は、取込駆動モータ３６Ａを停止させることになり、その後、識別部４３で最後に識別した紙葉類Ｓが一時貯留部５５および第１繰出部２４のいずれか対応する一方に搬送されるのに十分な所定時間が経過すると、制御部３３は、搬送駆動モータ３７Ａを停止させることになる。そして、制御部３３は、図６に示すように、表示操作部１８に、今回の処理で受け付けた現金紙幣の金種別の計数値、金種別の金額および合計金額を表示させるとともに、「承認」と表示された承認選択入力部１８ｆと、「キャンセル」と表示されたキャンセル選択入力部１８ｇとを表示させて待機する。
【００６１】
承認選択入力部１８ｆが押圧操作されると、制御部３３は、識別部４３で受付可と識別された現金紙幣の金種別の額面を記憶部３４の入金金額データへ計上して記憶部３４に記憶する。つまり、今回の処理の前に入金されて記憶部３４に記憶されている金種毎の入金金額に、今回の処理の金種毎の入金金額を加算するとともに、今回の処理の前に入金されて記憶部３４に記憶されている合計の入金金額に、今回の処理の合計の入金金額を加算する。それとともに、制御部３３は、一時貯留部５５に集積された現金紙幣を収納部６０に収納し、収納が完了すると表示操作部１８に上記した待機画面を表示させる待機状態に戻る。
【００６２】
他方、キャンセル選択入力部１８ｇが押圧操作されると、制御部３３は、識別部４３で受付可と識別された現金紙幣の額面を記憶部３４の入金金額データへ計上することなく、消去する。それとともに、制御部３３は、一時貯留部５５に集積された現金紙幣の取り出しを促す表示を表示操作部１８に表示させることになり、これを見て、オペレータは、上部ユニット１３を引き出して一時貯留部５５に集積された現金紙幣を取り出すことになる。一時貯留部５５から現金紙幣が取り出され、上部ユニット１３が入金機本体１２に戻されたことが図示略のセンサで検知されると、制御部３３は表示操作部１８に上記した待機画面を表示させる待機状態に戻る。
【００６３】
初期操作で選択された媒体種別モードが、金券種Ａの現金外モードである場合には、識別部４３が読み取った紙葉類Ｓが、受付可な金券種Ａの現金外紙葉類である場合、この金券種Ａの現金外紙葉類については、枚数の計数を行い、エンドーサ６５で受付済みの記録を施して、上流側振分部５１で分岐搬送路４７に搬送して、一時貯留部５５に一時貯留させることになる。他方、識別部４３が読み取った紙葉類Ｓが、金券種Ａの現金外紙葉類以外の受付不可な紙葉類Ｓである場合、この受付不可な紙葉類Ｓについては、計数およびエンドーサ６５での受付済みの記録を行うことなく、上流側振分部５１で分岐搬送路４６に搬送し、さらに下流側振分部５２で分岐搬送路４９に搬送して、第２繰出部２５に繰り出すことになる。なお、識別部４３は、光学式文字読取部４３Ａを備えており、この光学式文字読取部４３Ａによって、エンドーサ６５による受付済みの記録を認識可能であり、このエンドーサ６５による受付済みの記録が施された金券種Ａの現金外紙葉類については受付不可と識別する。よって、受付済みの記録が施された金券種Ａの現金外紙葉類も計数することなく第２繰出部２５に繰り出すことになる。
【００６４】
上記を繰り返すことで、投入口１９内に紙葉類Ｓがなくなったことがセット検知センサ２１で検知されると、所定時間経過後に、制御部３３は、取込駆動モータ３６Ａを停止させることになり、その後、識別部４３で最後に識別した紙葉類Ｓが一時貯留部５５および第２繰出部２５のいずれか対応する一方に搬送されるのに十分な所定時間が経過すると、制御部３３は、搬送駆動モータ３７Ａを停止させることになる。そして、制御部３３は、図７に示すように、表示操作部１８に、今回の処理で計数した現金外紙葉類の、一枚当たりの単位額面データを含む金券種Ａと、枚数と、額面とを表示させるとともに、「承認」と表示された承認選択入力部１８ｆと、「キャンセル」と表示されたキャンセル選択入力部１８ｇとを表示させて待機する。なお、制御部３３は、今回の処理で計数した現金外紙葉類の額面を、一の種別である金券種Ａの現金外紙葉類の一枚当たりの単位額面データと、識別部４３で計数した金券種Ａの現金外紙葉類の枚数との乗算によって求める。
【００６５】
承認選択入力部１８ｆが押圧操作されると、制御部３３は、識別部４３で受付可と識別された金券種Ａの現金外紙葉類の額面を記憶部３４の入金金額データへ計上して記憶部３４に記憶する。つまり、今回の処理の前に入金されて記憶部３４に記憶されている金券種Ａの現金外紙葉類の入金金額に、今回の処理の金券種Ａの現金外紙葉類の入金金額を加算するとともに、今回の処理の前に入金されて記憶部３４に記憶されている合計の入金金額に、今回の処理の合計の入金金額を加算する。それとともに、制御部３３は、一時貯留部５５に集積された金券種Ａの現金外紙葉類を収納部６０に収納し、収納が完了すると表示操作部１８に上記した待機画面を表示させる待機状態に戻る。
【００６６】
他方、キャンセル選択入力部１８ｇが押圧操作されると、制御部３３は、識別部４３で受付可と識別された金券種Ａの現金外紙葉類の額面を記憶部３４の入金金額データへ計上することなく、消去する。それとともに、制御部３３は、一時貯留部５５に集積された金券種Ａの現金外紙葉類の取り出しを促す表示を表示操作部１８に表示させることになり、これを見て、オペレータは、上部ユニット１３を引き出して一時貯留部５５に集積された金券種Ａの現金外紙葉類を取り出すことになる。一時貯留部５５から金券種Ａの現金外紙葉類が取り出され、上部ユニット１３が入金機本体１２に戻されたことが図示略のセンサで検知されると、制御部３３は表示操作部１８に上記した待機画面を表示させる待機状態に戻る。
【００６７】
初期操作で選択された媒体種別モードが、金券種Ｂの現金外モードである場合は、上記金券種Ａの現金外モードである場合に対して、金券種Ａが金券種Ｂに変わる以外は同様となり、金券種Ｃの現金外モードである場合は、金券種Ａの現金外モードである場合に対して、金券種Ａが金券種Ｃに変わる以外は同様となる。
【００６８】
なお、以上においては、制御部３３が、識別部４３で受付可と識別された紙葉類Ｓを一時貯留部５５に、受付不可と識別された紙葉類Ｓを、現金モードでは第１繰出部２４に、現金外モードでは第２繰出部２５に、それぞれ搬送する処理（（１）の処理）を例にとり説明した。しかしながら、本実施形態に係る紙葉類入金機１１は、これ以外にも、以下（２）〜（４）の処理が選択設定できるようになっている。
【００６９】
（２）識別部４３で受付不可と識別された紙葉類Ｓを一時貯留部５５に、受付可と識別された紙葉類Ｓを第１繰出部２４あるいは第２繰出部２５に搬送する。この場合、現金モードにおいて、受付可と識別された所定の同一金種の現金紙幣を第１繰出部２４および第２繰出部２５の一方に、受付可と識別された他の金種の現金紙幣を第１繰出部２４および第２繰出部２５の他方に搬送して分類するようにしても良い。
【００７０】
（３）一時貯留部５５を使用せずに、識別部４３で受付可と識別された紙葉類Ｓを第１繰出部２４および第２繰出部２５のいずれか一方に、識別部４３で受付不可と識別された紙葉類Ｓを第１繰出部２４および第２繰出部２５のいずれか他方に、それぞれ搬送する。
【００７１】
（４）現金モードでは、受付可と識別された現金紙幣を一時貯留部５５に搬送し、受付不可と識別された紙葉類Ｓを第１繰出部２４および第２繰出部２５のいずれか一方に搬送する一方、現金外モードでは、受付可と識別された現金外紙葉類を第１繰出部２４および第２繰出部２５のいずれか一方に搬送し、受付不可と識別された紙葉類Ｓを第１繰出部２４および第２繰出部２５のいずれか他方に搬送する。ただし、この場合、いずれのモードでも、受付不可と識別された紙葉類Ｓの搬送先は、第１繰出部２４および第２繰出部２５の同じ一方とする。
【００７２】
なお、上記選択設定をせず、識別部４３で受付可と識別された現金外紙葉類を常に一時貯留部５５に搬送する場合は、搬送路３７における識別部４３と、識別部４３にて受付可と識別された現金外紙葉類を貯留する一時貯留部５５との間の経路にエンドーサ６５を設けることになり、識別部４３で受付可と識別された現金外紙葉類を常に第１繰出部２４および第２繰出部２５のいずれか一方に搬送する場合には、識別部４３と、識別部４３にて受付可と識別された現金外紙葉類を貯留する第１繰出部２４あるいは第２繰出部２５との間の経路にエンドーサ６５を設けることになる。
【００７３】
また、（１）の処理のみを行う場合は、二つの第１繰出部２４および第２繰出部２５を設けずに、一つのみ繰出部を設けてこの繰出部に受付不可と識別されたすべての紙葉類Ｓを繰り出すようにしても良い。
【００７４】
また、（２）の処理のみを行う場合は、二つの第１繰出部２４および第２繰出部２５を設けずに、一つのみ繰出部を設けてこの繰出部に受付可と識別されたすべての紙葉類Ｓを繰り出すようにしても良い。
【００７５】
以上に述べた本実施形態に係る紙葉類入金機１１によれば、表示操作部１８で媒体種別モードとして現金モードが選択して設定されると、投入口１９に投入された紙葉類Ｓが、取込機構３６で一枚ずつ機内に取り込まれ、識別部４３で識別されて、現金紙幣のみが受付可と識別される。そして、制御部３３が、識別部４３で受付可と識別された現金紙幣の額面を入金金額データへ計上する。他方、表示操作部１８で媒体種別モードとして現金外モードが選択して設定されると、投入口１９に投入された紙葉類Ｓが、取込機構３６で一枚ずつ機内に取り込まれ、識別部４３で識別されて、現金外紙葉類のみが受付可と識別される。そして、制御部３３が、識別部４３で受付可と識別された現金外紙葉類の額面を入金金額データへ計上する。よって、取扱い対象の紙葉類Ｓとして現金紙幣だけでなく現金外紙葉類をも入金して、売上計上等に自動計数入力することができる。したがって、現金外紙葉類について手操作で入金金額データを入力する必要がなくなり、自動計数入力できるようになるため、担当者の作業を大幅に軽減できる。
【００７６】
また、入金計数対象となる媒体種別を選択設定すると、ギャップ調整機構７５が取込機構３６の取込ギャップをその媒体種別の紙葉類Ｓの厚みに対応したギャップに調整するため、現金紙幣とは厚みに違いがある現金外紙葉類であっても適切に取込ギャップが調整されて、円滑に機内へ取り込むことが可能となる。
【００７７】
また、現金外モードでは、識別部４３が、一の種別の現金外紙葉類を受付可と識別して枚数を計数すると、制御部３３が、この計数結果と、一の種別の現金外紙葉類の一枚当たりの単位額面データとの乗算によって一の種別の現金外紙葉類の額面を求めて計上する。したがって、廉価な構成で現金外紙葉類の額面を計上可能となる。
【００７８】
また、表示操作部１８で設定された媒体種別モードに応じて、制御部３３が、取込機構３６の取込速度を切り換えるため、媒体種別ごとに取込速度も可変となり、より媒体種別に適した状態で紙葉類Ｓを一枚ずつ分離して円滑に機内へ取り込むことが可能となる。  
【００７９】
また、表示操作部１８で設定された媒体種別モードに応じて、制御部３３が、機内へ取り込んだ紙葉類Ｓを搬送路３７にて搬送する搬送速度を切り換えるため、媒体種別ごとに機内での搬送速度も可変となり、より媒体種別に適した状態で紙葉類Ｓを搬送することが可能となる。  
【００８０】
また、識別部４３にて受付可と識別された現金外紙葉類に対しては、エンドーサ６５が受付済みの記録を施すことになるため、「受付済み」の現金外紙葉類が、「受付済み」か否かが容易に目視で区別できるようになる。特に、「受付済み」の現金外紙葉類が収納部６０へ収納されない場合に、「受付済み」か否かが容易に目視で区別できることによる効果が高い。
【００８１】
また、識別部４３が、エンドーサ６５による受付済みの記録が施された現金外紙葉類を受付不可と識別するため、オペミスや不正運用を防止できるようになる。
【００８２】
また、現金外モードにおいて、制御部３３が、識別部４３で受付可と識別された現金外紙葉類のみを一時貯留部５５および第１繰出部２４（または第２繰出部２５）のうちのいずれか一方へ搬送するとともに、現金を含むその他の紙葉類全てを一時貯留部５５および第１繰出部２４（または第２繰出部２５）のうちのいずれか他方へ搬送するように搬送先を変更可能となっている。よって、使用する店舗での運用仕様に応じた紙葉類の搬送先設定が可能となる。すなわち、受け付けた現金外紙葉類を収納部６０に収納したい場合には一時貯留部５５へ搬送し、収納部６０に収納したくない場合には第１繰出部２４（または第２繰出部２５）へ搬送するといった選択設定が可能となる。
【００８３】
なお、現金以外の紙葉類の識別部３３での受付ロジックは、現金紙幣のように真偽判定や金種判定までは行わず、例えば外形寸法（幅センサーと走行センサーで外形寸法を求める等）のみで受付の可不可を判定して、受付可の紙葉類の枚数のみを判読する簡易な構成とすることもできる。このような構成とすることで、紙幣を識別する構成の識別部３３には特に手を加えずに現金以外の紙葉類も取扱い可能となるので、廉価な構成として実現可能となる。
【符号の説明】
【００８４】
１１  紙葉類入金機
１３  上段ユニット（返却手段）
１８  表示操作部（モード設定手段）
１９  投入口
２４  第１繰出部（繰出手段）
２５  第２繰出部（繰出手段）
３３  制御部（受付設定手段，計上手段，搬送制御手段，取込速度切換手段，搬送速度切換手段）
３６  取込機構（取込手段）
４３  識別部（識別手段）
４３Ａ  光学式文字読取部（光学式文字読取手段）
５５  一時貯留部（一時貯留手段，返却手段）
６０  収納部（収納手段）
６５  エンドーサ（記録手段）
７５  ギャップ調整機構（ギャップ調整手段）
Ｓ  紙葉類
Ｇ  取込ギャップ
【図１】
0005645721.tif 000002
【図２】
0005645721.tif 000003
【図３】
0005645721.tif 000004
【図４】
0005645721.tif 000005
【図５】
0005645721.tif 000006
【図６】
0005645721.tif 000007
【図７】
0005645721.tif 000008